(57)【要約】【課題】スピーカに起因する振動を抑制する。【解決手段】スピーカと、スピーカを保持するスピーカ保持部と、前記スピーカ保持部を取付ける本体部と、前記スピーカに形成された第１取付部と、前記スピーカ保持部に形成された第２取付部と、前記第１取付部、及び前記第２取付部の双方と係合する第１弾性部と、前記スピーカ保持部に形成された第３取付部と、前記本体部に形成された第４取付部と、前記第３取付部、及び前記第４取付部の双方と係合する第２弾性部と、を備え、前記第１取付部、及び前記第２取付部が、前記第１弾性部と係合し、前記第３取付部、及び第４取付部が、前記第２弾性部と係合した状態で、前記スピーカと前記本体部とは、接触しない。【選択図】図７
2014053872.tif 000002
【特許請求の範囲】
【請求項１】
スピーカと、
スピーカを保持するスピーカ保持部と、
前記スピーカ保持部を取付ける本体部と、
前記スピーカに形成された第１取付部と、
前記スピーカ保持部に形成された第２取付部と、
前記第１取付部、及び前記第２取付部の双方と係合する第１弾性部と、
前記スピーカ保持部に形成された第３取付部と、
前記本体部に形成された第４取付部と、
前記第３取付部、及び前記第４取付部の双方と係合する第２弾性部と、
を備え、
前記第１取付部、及び前記第２取付部が、前記第１弾性部と係合し、前記第３取付部、及び第４取付部が、前記第２弾性部と係合した状態で、前記スピーカと前記本体部とは、接触しない
ことを特徴とする電子機器。
【請求項２】
前記第１取付部は、前記スピーカに対して垂直に突出した棒形状であり、
前記第２取付部は、前記スピーカ保持部にＵ字状に形成された溝部であり、
前記第１弾性部は、中央に孔部が形成されるとともに、円周に溝部が形成された円筒状であり、
前記第１弾性部の孔部に、前記第１取付部が挿入されるとともに、前記第１弾性部の溝部に前記第２取付部が挿入される
ことを特徴とする請求項１に記載の電子機器。
【請求項３】
前記第３取付部は、前記スピーカ保持部にＵ次状に形成された溝部であり、
前記第４取付部は、前記本体部に対して垂直に突出した棒形状であり、
前記第２弾性部は、中央に孔部が形成されるとともに、円周に溝部が形成された円筒状であり、
前記第２弾性部の孔部に、前記第４取付部が挿入されるとともに、前記第２弾性部の溝部に前記第４取付部が挿入される
ことを特徴とする請求項１に記載の電子機器。
【請求項４】
前記スピーカ保持部には、前記スピーカの電気配線の導出経路となる配線孔が形成されており、前記第２取付部は、前記スピーカ保持部の互いに対向する側面部に、前記配線孔を通る軸線を基準に、線対称な位置に設けられている
ことを特徴とする請求項１に記載の電子機器。
【請求項５】
前記第２取付部は、前記スピーカ保持部にＵ字状に形成された溝部であり、
前記第３取付部は、前記スピーカ保持部にＵ次状に形成された溝部であり、
前記第２取付部、及び第３取付部は、前記スピーカ保持部を構成する板材の互いに対向する各辺から、互いに反対方向の向きに前記溝部が形成されてなる
ことを特徴とする請求項１に記載の電子機器。
【請求項６】
前記第２取付部は、前記スピーカ保持部にＵ字状に形成された溝部であり、
前記第３取付部は、前記スピーカ保持部にＵ次状に形成された溝部であり、
前記第２取付部、及び第３取付部は、前記スピーカの音を発する面に対して垂直となるよう前記溝部が形成されてなる
ことを特徴とする請求項１に記載の電子機器。
【請求項７】
請求項１〜６の電子機器を備えた画像投射装置。
【請求項８】
外気を取り込む吸気部を更に備え、
前記スピーカの音を発する面は、前記吸気部が取り込んだ外気による気流の風下に位置する
ことを特徴とする請求項７に記載の画像投射装置。
【発明の詳細な説明】
【技術分野】
【０００１】
本発明は、電子機器、画像投射装置に関する。
【背景技術】
【０００２】
従来より、パソコンやビデオカメラ等からの画像データをもとに、光源から出射される光を用いて画像形成部において投影用の画像を生成し、生成した画像をスクリーンなどの被投射面に投射して表示する画像投射装置が知られている。画像投射装置においては、大画面に画像を投影できること、及び画像投射装置と、披投射面との間の距離を可能な限り短くできることが望まれており、短投影距離に対応した画像投射装置が開示されている。
【０００３】
また、画像投射装置にあっては、各種操作音や、利用者に対する警告音などを出力するためのスピーカが設けられている。例えば、特許文献１においては、スピーカユニットがその取付けフランジ部において振動吸収部材を介して電子機器の筐体に支持されるスピーカの取付け機構が開示されている。振動吸収部材はスピーカユニットの取付けフランジ部に挿着されるホルダ部と、このホルダ部に一体成形され上記電子機器の筐体に固定される取付部とから構成されている。そして、取付けフランジ部が上記ホルダ部に保持された状態において上記取付部が上記電子機器の筐体にねじ固定される。
【０００４】
また、特許文献２においては、合成樹脂製の支持部材にスピーカの前面部を当接させる当接面と、スピーカの一部を係合保持する保持部と、該保持部に保持されたスピーカを上記当接面に弾接させる弾発部と、によりスピーカが固定されている。
【発明の概要】
【発明が解決しようとする課題】
【０００５】
しかしながら、上記構成のように振動吸収部材を介して電子機器筐体にねじ固定していてもスピーカの振動が電子機器筐体に伝わるのを完璧には防止できない。振動吸収部材と電子機器筐体とをねじ止めした箇所は略剛体接続となりスピーカから振動吸収部材へ伝わった振動は、低減はしても少なからず電子機器筐体へも伝わってしまう。特に電子機器筐体がプロジェクタ等の画像投射装置の場合はその振動が投射した画像へも伝わってしまい、スピーカ音量を上げると画像が揺れ見苦しくなるという不具合が発生する可能性がある。
【０００６】
本発明は、上記に鑑みてなされたものであって、スピーカに起因する振動を抑制することができる電子機器、及び画像投射装置を提供することにある。
【課題を解決するための手段】
【０００７】
上述した課題を解決し、目的を達成するために、本発明は、スピーカと、スピーカを保持するスピーカ保持部と、前記スピーカ保持部を取付ける本体部と、前記スピーカに形成された第１取付部と、前記スピーカ保持部に形成された第２取付部と、前記第１取付部、及び前記第２取付部の双方と係合する第１弾性部と、前記スピーカ保持部に形成された第３取付部と、前記本体部に形成された第４取付部と、前記第３取付部、及び前記第４取付部の双方と係合する第２弾性部と、を備え、前記第１取付部、及び前記第２取付部が、前記第１弾性部と係合し、前記第３取付部、及び第４取付部が、前記第２弾性部と係合した状態で、前記スピーカと前記本体部とは、接触しないことを特徴とする。
【発明の効果】
【０００８】
本発明によれば、スピーカに起因する振動を抑制することができるという効果を奏する。
【図面の簡単な説明】
【０００９】
【図１】図１は、実施形態のプロジェクタの斜視図である。
【図２】図２は、実施形態のプロジェクタの上方カバーを取り外した状態を示す斜視図である。
【図３】図３は、実施形態の光学装置、光源装置の断面図である。
【図４】図４は、実施形態のスピーカの斜視図である。
【図５】図５は、実施形態のスピーカホルダの斜視図である。
【図６】図６は、実施形態の弾性部の斜視図である。
【図７】図７は、実施形態のスピーカユニットの取付の態様を示す斜視図である。
【図８】図８は、実施形態のスピーカユニットの取付の態様を示す斜視図である。
【図９】図９は、実施形態のスピーカユニットの取付の態様を示す斜視図である。
【図１０】図１０は、実施形態のスピーカユニットと吸気部との位置関係を示す図である。
【発明を実施するための形態】
【００１０】
以下、本発明の電子機器を画像投射装置としてのプロジェクタに具体化した実施形態について図面を用いて説明する。なお、本発明はスピーカを備え振動を抑制したい要求がある他の電子機器に適用することもでき、例えばＰＣやＴＶなどにも適用することができる。図１は、プロジェクタ１の斜視図であり、図２は、プロジェクタ１から上方カバー２を取り外した状態を示す斜視図である。
【００１１】
図１、図２に示されるように上方カバー２には、投射レンズ３が設けられている。投射レンズ３は、最終的に被投影面に投影される映像や画像のデータの拡大倍率を変更することができる。また、プロジェクタ１の筐体を構成する本体部１０には、光学装置２０、光源装置３０、スピーカユニット４０、ハウジング部５０、吸気部６０が設けられている。
【００１２】
図３は、光学装置２０、及び光源装置３０の詳細な構成を示す断面図である。図３に示されるように、光学装置２０は、照明機構２０ａ、及び投射機構２０ｂを備える。光学装置２０は、カラーホイール２５、ライトトンネル２６、リレーレンズ２７、平面ミラー２８、凹面ミラー２９を備えている。これらの各部材は、光学装置２０の本体部内に設けられている。また、光学装置２０には、画像形成部２１が設けられている。画像形成部２１は、画像を形成する画像形成素子であるＤＭＤ素子により構成されている。
【００１３】
円盤状のカラーホイール２５は、光源装置３０からの白色光を単位時間毎にＲＧＢの各色が繰り返す光に屁関してライトトンネル２６に向けて出射する。ライトトンネル２６は、板ガスを張り合わせて筒状に構成されており、カラーホイール２５から出射された光をリレーレンズ２７へと導出する。リレーレンズ２７は、二枚のレンズを組み合わせて構成されており、ライトトンネル２６から出射される光の軸上色収差を補正しつつ集光する。平面ミラー２８、及び凹面ミラー２９は、リレーレンズ２７により出射される光を反射して、画像形成部２１へと案内して、集光させる。画像形成部２１は、複数のマイクロミラーからなる矩形状のミラー面を有し、映像や画像のデータに基づいて書くマイクロミラーが時分割駆動されることにより、所定の画像データを形成するように投射光を加工して反射するＤＭＤ素子を備えている。
【００１４】
また、光源装置３０は、高圧水銀ランプを光源として備えている。光源装置３０は光学装置２０の照明機構２０ａに向けて白色光を照射する。照明機構２０ａ内においては、光源装置３０から照射された白色光がＲＧＢに分光され、画像形成部２１へと導出される。そして、画像形成部２１は、変調信号に応じて画像形成を行い、投射機構２０ｂが形成された画像を拡大投射する。
【００１５】
また、図３で示される画像形成部２１の図中手前側となる鉛直方向上方には、画像形成部２１に入射した光のうち、投射光Ｌとしては使用しない不要な光を受光するＯＦＦ光板が設けられている。画像形成部２１に光が入射すると、ＤＭＤ素子の働きにより時分割で映像データに基づいて複数のマイクロミラーが作動し、このマイクロミラーによって使用する光は投射レンズ３へと反射され、捨てる光はＯＦＦ光板へと反射される。画像形成部２１では、投射画像に使用する光は投射機構２０ｂへと反射され、複数の投射レンズ３を通って拡大され、拡大された映像光が拡大されて投射される。
【００１６】
続いて、本実施形態のスピーカユニット４０の構成について詳細に説明する。スピーカユニット４０は、スピーカホルダ４２０（スピーカ保持部）によってスピーカ４１０を保持することで構成されている。図４（ａ）、（ｂ）は、スピーカ４１０をそれぞれ別の方向からみた斜視図であり、図５（ａ）、（ｂ）はスピーカホルダ４２０をそれぞれ別の方向からみた斜視図である。
【００１７】
図４に示されるように、スピーカ４１０は、スピーカ振動面４１１、第１取付部であるボス４１２、ハーネス４１３を備えている。スピーカ振動面４１１は、スピーカ４１０から発せられる音が出力される部位である。ボス４１２は、スピーカ４１０を構成する４側面のそれぞれに対して略垂直に延出されている。また、ハーネス４１３は、スピーカ４１０に対して電力を供給する配線である。なお、ボス４１２がそれぞれ形成される位置については後述する。
【００１８】
また、図５に示されるように、スピーカホルダ４２０には、第２取付部である第１溝部４２１、及び第３取付部である第２溝部４２２が形成されている。第１溝部４２１、及び第２溝部４２２は、それぞれ後述する弾性部材の形状に合わせたＵ字形状の溝となっている。また、第１溝部４２１は、スピーカホルダ４２０の上下左右の各面に形成されており、その形成されている位置は、スピーカ４１０に形成されたボス４１２の位置と、それぞれ対応している。また、第１溝部４２１、及び第２溝部４２２が形成される方向は、互いに反対の向きになるように構成されており、スピーカ４１０から音が出力される方向と平行（すなわち、スピーカ振動面４１１に対して垂直）である。このように溝部を形成することで、前後どちらの方向の振動に対しても、スピーカ４１０をより強固に保持することができるようになる。また、第２溝部４２２は、スピーカホルダ４２０の図中における左右の側面から突出して形成された部位に形成されている。
【００１９】
また、スピーカホルダ４２０は、スピーカ４１０のハーネス４１３を導出するためのハーネス溝４２３が形成されている。なお、上述した第１溝部４２１のうち、ハーネス溝４２３と隣接して形成された溝と、当該溝に対向する溝とは、ハーネス溝４２３を通る軸線にもとづき線対称の位置に形成されている。
【００２０】
続いて、図６は各取付部と係合する弾性部の構成を示す斜視図である。図６に示されるように、第１弾性部、及び第２弾性部である弾性部４３０は、円筒状の本体の円周上において形成された溝部４３１、及び円筒の中心に形成された孔部４３２を有している。溝部４３１が形成される位置は、好適には円筒の高さ方向における中央部である。弾性部４３０は、例えば、クロロプレンゴムやスポンジなどの振動吸収性の高い素材により形成されている。
【００２１】
図７（ａ）〜（ｃ）は、スピーカ４１０、スピーカホルダ４２０、及び弾性部４３０の取付け順序を説明する図である。まず、図７（ａ）に示されるように、スピーカ４１０に形成された各ボス４１２が、それぞれ弾性部４３０の孔部４３２に対して挿入される。ボス４１２と、孔部４３２とは、それぞれ径がほぼ同じ大きさに形成されていることから、弾性部４３０がスピーカ４１０に取付けられた状態においては、ボス４１２を軸として摩擦により回転しないようになっており、互いに係合した状態となっている。
【００２２】
次いで、図７（ｂ）に示されるように、スピーカ４１０に取付けられた各弾性部４３０の溝部４３１に対して、スピーカホルダ４２０に形成された対応する第１溝部４２１の縁が係合される。この際、第１溝部４２１の溝の大きさは、弾性部４３０の溝部４３１の溝の大きさよりも少し大きめに形成されている。これは、各溝部同士４２１、４３１同士の装着を容易に行うことができるようにするためである。また、溝部４３１の幅は、スピーカホルダ４２０の側面の厚みと略同じ程度に形成されており、嵌め込まれた溝同士は係合した状態となる。図７（ｃ）は、スピーカ４１０がスピーカホルダ４２０に取付けられた状態を示している。
【００２３】
図８（ａ）、（ｂ）は、スピーカホルダ４２０に弾性部４３０を取付ける態様を示す斜視図である。図８（ａ）、（ｂ）に示されるように、スピーカホルダ４２０の第２溝部４２２それぞれに対して、弾性部４３０の溝部４３１が嵌め込まれている。この弾性部４３０は、スピーカ４１０に取付けられるものと同様の部材である。この状態で、スピーカ４１０、及びスピーカホルダ４２０とからなるスピーカユニット４０となる。
【００２４】
図９（ａ）、（ｂ）は、スピーカユニット４０を本体部１０へと取付ける態様を示す斜視図である。本体部１０には、弾性部４３０の孔部４３２の形状と一致する第４取付部である凸部５１が２つ設けられている。スピーカユニット４０の装着時には、まず第２溝部４２２に装着された弾性部４３０の孔部４３２に対して、凸部５１がそれぞれ挿入され、第２溝部４２２と、凸部５１とが互いに弾性部４３０を介して係合する。また、着脱可能なハウジング部５０にも第４取付部である凸部５３が２つ設けられている。本体部１０に対して装着された状態のスピーカユニット４０に対し、上方から第２溝部４２２に装着された弾性部４３０の孔部４３２に対して、凸部５３がそれぞれ挿入されるようにハウジング部５０を取付ける。この状態で、第２溝部４２２と、凸部５１とが互いに弾性部４３０を介して係合する。この際、スピーカ４１０と、ハウジング部５０、及び本体部１０は互いに接触せず、スピーカ４１０から発生した振動が直接には、プロジェクタ１に伝播しないよう構成されている。
【００２５】
また、図１０（ａ）、（ｂ）はともに、吸気部６０とスピーカユニット４０との位置関係を示す図である。図１０（ａ）、（ｂ）に示されるように、吸気部６０が取り入れた外気はスピーカユニット４０へと向かうように流れている。すなわち、スピーカユニット４０は、吸気部６０の風下側に設けられている。
【００２６】
以上に示した本実施形態のスピーカ取付のための構成にあっては、スピーカ４１０とスピーカホルダ４２０、及び本体部１０とがそれぞれ弾性部４３０を介して固定されていることから、スピーカ４１０で発生した振動が、スピーカ４１０とスピーカホルダ４２０との間の弾性部４３０、及びスピーカホルダ４２０と本体部１０との間の弾性部４３０それぞれによって吸収されることから、スピーカ４１０に起因する振動を抑制することができるようになる。
【００２７】
また、弾性部４３０を取付ける際にも、全てスピーカ４１０やスピーカホルダ４２０を構成する部材の一部を互いに挿入して取付けを行うことから、ねじ等の部材を使用する必要がなく、より一層の振動の抑制が可能となる。
【００２８】
また、スピーカホルダ４２０から延出された部材において、本体部１０へと取付け用に第２溝部４２２を形成するようにしたため、本体部１０の形状に応じて溝の位置や形状を設計することができるようになり、設計の自由度が向上する。
【００２９】
また、スピーカホルダ４２０の第１溝部４２１や第２溝部４２２が、スピーカ４１０の音が発する方向と平行な方向に形成されているため、最もスピーカ４１０で大きく発生するスピーカ４１０の音がでる方向における振動を効果的に抑制することができるようになる。
【００３０】
また、吸気部６０の風下にスピーカユニット４０を設けることとしたため、音と空気の流れが並行となり、吸気による音質の低下を抑制することができるようになる。
【００３１】
なお、上記の実施形態で説明した構成に変えて、スピーカに溝部を、スピーカホルダに凸部を設け、これらを弾性部材を介して係合させるような構成であってもよい。また、弾性部の形状は、各取付部の形状にあわせて適宜変更すればよく、振動を吸収することのできる素材で形成されていればよい。
【符号の説明】
【００３２】
１  プロジェクタ
２  上方カバー
３  投射レンズ
１０  本体部
２０  光学装置
２０ａ  照明機構
２０ｂ  投射機構
２１  画像形成部
２５  カラーホイール
２６  ライトトンネル
２７  リレーレンズ
２８  平面ミラー
２９  凹面ミラー
３０  光源装置
４０  スピーカユニット
５０  ハウジング部
５１  凸部
５３  凸部
６０  吸気部
４１０  スピーカ
４１１  スピーカ振動面
４１２  ボス
４１３  ハーネス
４２０  スピーカホルダ
４２１  第１溝部
４２２  第２溝部
４２３  ハーネス溝
４３０  弾性部
４３１  溝部
４３２  孔部
【先行技術文献】
【特許文献】
【００３３】
【特許文献１】特開平１０−０６６１７９号公報
【特許文献２】特開平０８−１１６５８２号公報
【図１】
2014053872.tif 000003
【図２】
2014053872.tif 000004
【図３】
2014053872.tif 000005
【図４】
2014053872.tif 000006
【図５】
2014053872.tif 000007
【図６】
2014053872.tif 000008
【図７】
2014053872.tif 000009
【図８】
2014053872.tif 000010
【図９】
2014053872.tif 000011
【図１０】
2014053872.tif 000012